(57)【要約】【課題】深度の浅い画像を撮影しても検索精度の低下を低減することが可能な撮像装置を提供すること。【解決手段】位相差検出機能を有する撮像素子と、撮影した画像を照合可能な状態まで復元するために必要なデータを外部システムに送信する送信手段と、外部システムで得られた照合結果を受信する受信手段とを有することを特徴とする。【選択図】  図１
2015233261.tif 000002
【特許請求の範囲】
【請求項１】
位相差検出機能を有する撮像素子と、
撮影した画像の主要被写体の種類や名称を判別するために必要なデータを外部システムに送信する送信手段と、
外部システムで得られた照合結果を受信する受信手段と
を有することを特徴とする撮像装置。
【請求項２】
ズーム機能と、フォーカス機能と、絞り機能とを有する光学系とを備え、
前記データは前記光学系の機種情報とズーム情報とフォーカス情報と絞り情報のうちの少なくともいずれかと、前記撮像素子で得られた画像情報とであることを特徴とする請求項１に記載の撮像装置。
【請求項３】
請求項１又は請求項２に記載の撮像装置を備え、前記外部システムは、デフォーカス値演算と、ボケ画像修復処理と、画像とデータベースとの照合処理のうち少なくともいずれかを行うことを特徴とする照合システム。
【請求項４】
前記撮像素子で得られた信号に基づき各領域ごとのデフォーカス値を算出する手段を有することを特徴とする請求項１に記載の撮像装置。
【請求項５】
ズーム機能と、フォーカス機能と、絞り機能とを有する光学系とを備え、前記データは前記光学系の機種情報、ズーム情報とフォーカス情報と絞り情報のうちの少なくともいずれかと、前記撮像素子で得られた画像情報と、前記デフォーカス値とであることを特徴とする請求項４に記載の撮像装置。
【請求項６】
請求項４又は請求項５に記載の撮像装置を備え、前記外部システムは、ボケ画像修復処理と、画像とデータベースとの照合処理のうち少なくともいずれかを行うことを特徴とする照合システム。
【発明の詳細な説明】
【技術分野】
【０００１】
本発明は、撮像装置及び照合システムに関する。
【背景技術】
【０００２】
従来、使用者が撮影した画像に映る被写体の種類や名称を判別しようとしたときには、使用者自身が図鑑などのデータベースと画像とを照合する作業が必要であった。
【０００３】
このような問題を解決するために、データベースを備えたサーバーに撮影した画像を送信し、主要被写体を検索する方法が提案されている（特許文献１参照）。特許文献１では、主要被写体の検索精度を向上するために、１枚の画像データを構成する所定の単位ごとに被写体距離を算出し、特定の距離の範囲内にある部分を主要被写体と判断してこれを切り出す。そしてその主要被写体のみを切り出した画像を、データベースを備えたサーバーに出力し、主要被写体の検索を行う。
【先行技術文献】
【特許文献】
【０００４】
【特許文献１】特開２００９−２６０８００号公報
【発明の概要】
【発明が解決しようとする課題】
【０００５】
しかし、特許文献１では、特定の距離の範囲内を切り出すという手段をとっており、花などをマクロレンズで撮影する場合のような深度の浅い画像を撮影したときには、主要被写体を正確に切り出すことができない、あるいは、検索には不適切なボケた状態で照合するため、検索精度が低下するという問題がある。
【０００６】
そこで、本発明は、深度の浅い画像を撮影しても検索精度の低下を低減することが可能な撮像装置を提供することを目的としている。
【課題を解決するための手段】
【０００７】
上記の課題を解決するために、本発明の撮像装置は、位相差検出機能を有する撮像素子と、撮影した画像を照合可能な状態まで復元するために必要なデータを外部システムに送信する送信手段と、外部システムで得られた照合結果を受信する受信手段とを有することを特徴としている。
【発明の効果】
【０００８】
発明によれば、深度の浅い画像を撮影しても検索精度の低下を低減することが可能な撮像装置を提供できる。
【図面の簡単な説明】
【０００９】
【図１】本発明の好適な実施形態に係るカメラの構成図
【図２】本発明の撮像素子の回路図
【図３】本発明の撮像素子の画素部断面図
【図４】本発明の撮像素子の撮像用画素の平面図と断面図
【図５】本発明の撮像素子の焦点検出用画素の平面図と断面図
【図６】本発明の撮像素子の他の焦点検出用画素の平面図と断面図
【図７】本発明の第１の実施形態のシステムのメインフロー図
【図８】本発明の第１の実施形態の外部演算装置１３１による外部処理サブルーチンのフロー図
【図９】結果の表示例を示す図
【図１０】本発明の第１の実施形態のシステムのメインフロー図
【図１１】本発明の第１の実施形態の外部演算装置１３１による外部処理サブルーチンのフロー図
【発明を実施するための形態】
【００１０】
以下、本発明の実施の形態について、図面を参照しながら説明する。
【実施例１】
【００１１】
図１は本発明の好適な実施形態に係るカメラの構成図で、撮像手段としての撮像素子を有したカメラ本体と撮影光学系が一体となった撮像装置１００を示している。同図において、１０１は撮影光学系（結像光学系）の先端に配置された第１レンズ群で、光軸方向に進退可能に保持される。１０２は絞り兼用シャッタで、その開口径を調節することで撮影時の光量調節を行なうほか、静止画撮影時には露光秒時調節用シャッタとしての機能も備える。１０３は第２レンズ群である。そして前記絞り兼用シャッタ１０２及び第２レンズ群１０３は一体となって光軸方向に進退し、前記第１レンズ群１０１の進退動作との連動により、変倍作用（ズーム機能）をなす。１０４は第３レンズ群で、光軸方向の進退により、焦点調節を行なう。
【００１２】
１０５は光学的ローパスフィルタで、撮影画像の偽色やモアレを軽減するための光学素子である。１０６はＣ−ＭＯＳセンサとその周辺回路で構成された撮像素子である。該撮像素子は、横方向ｍ画素、縦方向ｎ画素の受光ピクセル上に、ベイヤー配列の原色カラーモザイクフィルタがオンチップで形成された、２次元単板カラーセンサが用いられる。
【００１３】
１１１はズームアクチュエータで、不図示のカム筒を回動することで、第１レンズ群１０１〜第３レンズ群１０３を光軸方向に進退駆動し、変倍操作を行なう。１１２は絞りシャッタアクチュエータで、絞り兼用シャッタ１０２の開口径を制御して撮影光量を調節すると共に、静止画撮影時の露光時間制御を行なう。１１３はフォーカスアクチュエータで、第３レンズ群１０４を光軸方向に進退駆動して焦点調節を行なう。
【００１４】
１２１は、カメラ本体の種々の制御を司るカメラ内ＣＰＵで、演算部、ＲＯＭ、ＲＡＭ、Ａ／Ｄコンバータ、Ｄ／Ａコンバータ、通信インターフェイス回路等を有する。ＣＰＵ１２１はまた、ＲＯＭに記憶された所定のプログラムに基づいて、カメラが有する各種回路を駆動し、ＡＦ、撮影、画像処理と記録等の一連の動作を実行する。
【００１５】
１２２は撮像素子駆動回路で、撮像素子１０６の撮像動作を制御するとともに、取得した画像信号をＡ／Ｄ変換してＣＰＵ１２１に送信する。１２３は画像処理回路で、撮像素子１０６が取得した画像のγ変換、カラー補間、ＪＰＥＧ圧縮等の処理を行なう。
【００１６】
１２４はフォーカス駆動回路で、焦点検出結果に基づいてフォーカスアクチュエータ１１３を駆動制御し、第３レンズ群１０４を光軸方向に進退駆動して焦点調節を行なう。１２５は絞りシャッタ駆動回路で、絞りシャッタアクチュエータ１１２を駆動制御して絞り兼用シャッタ１０２の開口を制御する。１２６はズーム駆動回路で、撮影者のズーム操作に応じてズームアクチュエータ１１１を駆動する。
【００１７】
１２７はＬＣＤ等の表示器で、カメラの撮影モードに関する情報、撮影前のプレビュー画像と撮影後の確認用画像、焦点検出時の合焦状態表示画像等を表示する。１２８は操作スイッチ群で、電源スイッチ、レリーズ（撮影トリガ）スイッチ、ズーム操作スイッチ、撮影モード選択スイッチ等で構成される。１２９は着脱可能なフラッシュメモリで、撮影済み画像を記録する。１３０は通信手段で、後述する外部演算装置１３１（不図示）にデータの送受信を行う。通信手段１３０は請求項の送信手段と受信手段の機能を担う。
【００１８】
図２は本発明の撮像素子の概略的回路構成図を示したもので、本出願人による特開平０９−０４６５９６号報等に開示された技術が好適である。同図は２次元Ｃ−ＭＯＳエリアセンサの２列×４行画素の範囲を示したものであるが、撮像素子として利用する場合は、当図に示した画素を多数配置し、高解像度画像の取得を可能としている。本実施形態においては、画素ピッチが２μｍ、有効画素数が横３０００列×縦２０００行＝６００万画素、撮像画面サイズが横６ｍｍ×縦４ｍｍの撮像素子として説明を行なう。
【００１９】
図２において、１はＭＯＳトランジスタゲートとゲート下の空乏層からなる光電変換素子の光電変換部、２はフォトゲート、３は転送スイッチＭＯＳトランジスタ、４はリセット用ＭＯＳトランジスタ、５はソースフォロワアンプＭＯＳトランジスタ、６は水平選択スイッチＭＯＳトランジスタ、７はソースフォロワの負荷ＭＯＳトランジスタ、８は暗出力転送ＭＯＳトランジスタ、９は明出力転送ＭＯＳトランジスタ、１０は暗出力蓄積容量ＣＴＮ、１１は明出力蓄積容量ＣＴＳ、１２は水平転送ＭＯＳトランジスタ、１３は水平出力線リセットＭＯＳトランジスタ、１４は差動出力アンプ、１５は水平走査回路、１６は垂直走査回路である。
【００２０】
図３に画素部の断面図を示す。同図において、１７はＰ型ウェル、１８はゲート酸化膜、１９は一層目ポリＳｉ、２０は二層目ポリＳｉ、２１はｎ＋フローティングディフュージョン部（ＦＤ）である。２１のＦＤは別の転送ＭＯＳトランジスタを介して別の光電変換部と接続される。同図において、２つの転送ＭＯＳトランジスタ３のドレインとＦＤ部２１を共通化して微細化とＦＤ部２１の容量低減による感度向上を図っているが、Ａｌ配線でＦＤ部２１を接続しても良い。
【００２１】
図４ないし図５は、撮像用画素と焦点検出用画素の構造を説明する図である。本実施形態においては、２行×２列の４画素のうち、対角２画素にＧ（緑色）の分光感度を有する画素を配置し、他の２画素にＲ（赤色）とＢ（青色）の分光感度を有する画素を各１個配置した、ベイヤー配列が採用されている。そして、該ベイヤー配列の間に、焦点検出用画素が所定の規則にて分散配置される。
【００２２】
図４に撮像用画素の配置と構造を示す。同図（ａ）は２行×２列の撮像用画素の平面図である。周知のごとく、ベイヤー配列では対角方向にＧ画素が、他の２画素にＲとＢの画素が配置される。そして該２行×２列の構造が繰り返し配置される。
【００２３】
同図（ａ）の断面Ａ−Ａを同図（ｂ）に示す。ＭＬは各画素の最前面に配置されたオンチップマイクロレンズ、ＣＦＲはＲ（Ｒｅｄ）のカラーフィルタ、ＣＦＧはＧ（Ｇｒｅｅｎ）のカラーフィルタである。ＰＤは図３で説明したＣ−ＭＯＳセンサの光電変換部を模式的に示したもの、ＣＬはＣ−ＭＯＳセンサ内の各種信号を伝達する信号線を形成するための配線層である。ＴＬは撮影光学系を模式的に示したものである。
【００２４】
ここで、撮像用画素のオンチップマイクロレンズＭＬと光電変換部ＰＤは、撮影光学系ＭＬを通過した光束を可能な限り有効に取り込むように構成されている。換言すると、撮影光学系ＴＬの射出瞳ＥＰと光電変換部ＰＤは、マイクロレンズＭＬにより共役関係にあり、かつ光電変換部の有効面積は大面積に設計される。また、同図（ｂ）ではＲ画素の入射光束について説明したが、Ｇ画素及びＢ（Ｂｌｕｅ）画素も同一の構造となっている。従って、撮像用のＲＧＢ各画素に対応した射出瞳ＥＰは大径となり、被写体からの光束を効率よく取り込んで画像信号のＳ／Ｎを向上させている。
【００２５】
図５は、撮影レンズの水平方向（横方向）に瞳分割を行なうための焦点検出用画素の配置と構造を示す。同図（ａ）は、焦点検出用画素を含む２行×２列の画素の平面図である。撮像信号を得る場合、Ｇ画素は輝度情報の主成分をなす。そして人間の画像認識特性は輝度情報に敏感であるため、Ｇ画素が欠損すると画質劣化が認められやすい。一方でＲもしくはＢ画素は、色情報を取得する画素であるが、人間は色情報には鈍感であるため、色情報を取得する画素は多少の欠損が生じても画質劣化に気づきにくい。そこで本実施形態においては、２行×２列の画素のうち、Ｇ画素は撮像用画素として残し、ＲとＢの画素を焦点検出用画素としている。これを同図（ａ）においてＳＨＡ及びＳＨＢで示す。
【００２６】
同図（ａ）の断面Ａ−Ａを同図（ｂ）に示す。マイクロレンズＭＬと、光電変換部ＰＤは図５（ｂ）に示した撮像用画素と同一構造である。本実施形態においては、焦点検出用画素の信号は画像創生には用いないため、色分離用カラーフィルタの代わりに透明膜ＣＦＷ（Ｗｈｉｔｅ）が配置される。また、撮像素子で瞳分割を行なうため、配線層ＣＬの開口部はマイクロレンズＭＬの中心線に対して一方向に偏倚している。具体的には、画素ＳＨＡ及の開口部ＯＰＨＡは右側に偏倚しているため、撮影レンズＴＬの左側の射出瞳ＥＰＨＡを通過した光束を受光する。同様に、画素ＳＨＢの開口部ＯＰＨＢは左側に偏倚しているため、撮影レンズＴＬの右側の射出瞳ＥＰＨＢを通過した光束を受光する。よって、画素ＳＨＡを水平方向に規則的に配列し、これらの画素群で取得した被写体像をＡ像とする。また、画素ＳＨＢも水平方向に規則的に配列し、これらの画素群で取得した被写体像をＢ像とすると、Ａ像とＢ像の相対位置を検出することで、撮影レンズ１３７のピントずれ量（デフォーカス値）が検出できる。
【００２７】
ここで、マイクロレンズＭＬは、撮影レンズＴＬの左側の射出瞳ＥＰＨＡを透過した光束からなるＡ像と、撮影レンズＴＬの右側の射出瞳ＥＰＨＢを透過した光束からなるＢ像の、一対の光学像を生成するレンズ要素の機能を果たしている。
【００２８】
なお、上記画素ＳＨＡ及びＳＨＢでは、撮影画面の横方向に輝度分布を有した被写体、例えば縦線に対しては焦点検出可能だが、縦方向に輝度分布を有する横線は焦点検出不能である。そこで本実施形態では、後者についても焦点検出できるよう、撮影画面の垂直方向（縦方向）にも瞳分割を行なう画素も備えている。
【００２９】
図６は、撮影画面の垂直方向に瞳分割を行なうための焦点検出用画素の配置と構造を示す。同図（ａ）は、焦点検出用画素を含む２行×２列の画素の平面図で、図６（ａ）と同様に、Ｇ画素は撮像用画素として残し、ＲとＢの画素を焦点検出用画素としている。これを同図（ａ）においてＳＶＣ及びＳＶＤで示す。
【００３０】
同図（ａ）の断面Ａ−Ａを同図（ｂ）に示すが、図５（ｂ）の画素が横方向に瞳分離する構造であるのに対して、図６（ｂ）の画素は瞳分離方向が縦方向になっているだけで、画素の構造としては変わらない。すなわち、画素ＳＶＣの開口部ＯＰＶＣは下側に偏倚しているため、撮影レンズＴＬの上側の射出瞳ＥＰＶＣを通過した光束を受光する。同様に、画素ＳＶＤの開口部ＯＰＶＤは上側に偏倚しているため、撮影レンズＴＬの下側の射出瞳ＥＰＶＤを通過した光束を受光する。よって、画素ＳＶＣを垂直方向規則的に配列し、これらの画素群で取得した被写体像をＣ像とする。また、画素ＳＶＤも垂直方向規則的に配列し、これらの画素群で取得した被写体像をＤ像とすると、Ｃ像とＤ像の相対位置を検出することで、垂直方向に輝度分布を有する被写体像のピントずれ量（デフォーカス値）が検出できる。
【００３１】
図７及び図８は本発明の第１の実施形態のシステムを表すフロー図である。図７は本発明の第１の実施形態のシステムのメインフロー図である。
【００３２】
ステップＳ００１ではレリーズスイッチが押下されるかどうかが判定される。使用者はレリーズスイッチを押下するまで、構図や撮影条件（シャッタ速度や絞り値など）の設定を行う。このとき、後の処理で行う照合処理に適した条件（つまり、深度が十分深い）かどうかを考慮する必要はない。レリーズスイッチが押下されるとステップＳ００２へと進む。
【００３３】
ステップＳ００２では撮像素子１０６により画像が取得される。取得された画像信号は撮像素子駆動回路１２２でＡ／Ｄ変換されたのちＣＰＵ１２１に送信される。ＣＰＵ１２１に送信された画像信号は生データで一時的に記録される一方、撮影した画像を静止画として保存するために、画像処理回路１２３により所定の処理がされた画像をフラッシュメモリ１２９へと送る。その後、ステップＳ００３へと進む。
【００３４】
ステップＳ００３では、撮影モードが照合モードであるかどうかが確認される。撮影モードが照合モードである場合にはステップＳ００４へと進み、撮影モードが照合モードではない場合にはステップＳ０１０へと進み、本フローを終了する。
【００３５】
ステップＳ００４では、通信手段１３０により外部演算装置１３１にデータが送信される。外部演算装置１３１は請求項の外部システムに相当する。送信されるデータはステップＳ００３で一時的に記録された生データと、外部演算装置１３１で処理するデフォーカス値算出処理とボケ修復処理とデータベース照合処理に必要なデータ、例えば撮影光学系の機種情報や、ズーム情報、フォーカス情報、絞り値などである。データの送信が完了すると、ステップＳ００５へと進む。
【００３６】
ステップＳ００５では、外部演算装置１３１により外部処理サブルーチンが実行される。外部処理サブルーチンが完了すると、ステップＳ００６へと進む。
【００３７】
ステップＳ００６では、通信手段１３０が外部演算装置１３１から送信された結果を受信する。結果の受信が完了すると、ステップＳ００７へと進む。
【００３８】
ステップＳ００７では、通信手段１３０が受信した結果をもとに、表示器１２７に結果が表示される。図９は結果の表示例である。結果が表示されると、ステップＳ０１０へと進み、本フローは完了する。
【００３９】
図８は本発明の第１の実施形態の外部演算装置１３１による外部処理サブルーチンのフロー図である。
【００４０】
ステップＳ１０１では、撮像装置１００の通信手段１３０から送信されたデータを受信する。データの受信が完了すると、ステップＳ１０２へと進む。
【００４１】
ステップＳ１０２では、各分割領域でのデフォーカス値の算出が行われる。算出が完了すると、ステップＳ１０３へと進む。
【００４２】
ステップＳ１０３では、外部演算装置１３１によりボケ修復処理が行われる。一般的にボケ修復は点拡がり関数を画像信号にデコンボリューションすることで行われる。点広がり関数は撮影光学系の機種に応じ、ズーム情報、フォーカス情報、絞り値、デフォーカス値、像高などによって導出される。よって、ボケ修復はステップＳ１０１で受信した撮影光学系の機種情報、ズーム情報、フォーカス情報、絞り値を用いて、画像の各領域の像高と、デフォーカス値に応じて導出される点広がり関数をステップＳ１０１で受信した画像にデコンボリューションすることによりなされる。主被写体を次のステップ１０４で行うデータベース照合処理が可能な程度までボケを修復すると、ステップＳ１０４へと進む。
【００４３】
ステップＳ１０４では、外部演算装置１３１により照合処理が行われる。照合処理は公知の技術（例えば、特開２０００−１１３０９７号公報）で行われ、外部演算装置１３１は不図示のデータベースを記憶した装置と接続し、ステップＳ１０３で作成したボケ修復画像信号との照合処理が行われる。データベースと画像信号とが一致したものが検出されると、ステップＳ１０５へと進む。
【００４４】
ステップＳ１０５では、外部演算装置１３１から本発明の撮像装置１００の通信手段１３０にステップＳ１０４で検出された結果が送信される。結果の送信が完了すると、ステップＳ１０６へと進み、本サブルーチンは終了する。
【００４５】
また、本実施例では、撮影した静止画の画像情報から照合処理を行ったが、ライブビュー撮影の場合においても、ライブビュー中に撮像素子１０６から得られる画像情報を用いて、同様の処理を行い、ライブビュー中に結果を表示することが可能となる。
【００４６】
なお、本実施例では、ボケ修復処理として撮影光学系の機種情報と、ズーム情報、フォーカス情報、絞り値、デフォーカス値、像高から導出した点広がり関数を利用した例を示したが、ボケ修復処理はこの方法によらない。例えば、あらかじめ設定しておいた基本関数にズーム情報、フォーカス情報、絞り値、デフォーカス値、像高のうちのいくつかのパラメータを用いて導出した関数を用いてボケ修復しても良い。
【００４７】
以上のように、本発明の構成によれば、深度の浅い画像を撮影しても検索精度の低下を低減することが可能な撮像装置を提供することが可能となる。
【実施例２】
【００４８】
実施例１では、外部演算装置１３１でデフォーカス値の算出を行わせたが、ＣＰＵ１２１の性能が十分高い場合には撮像装置１００内で行ってもよい。図１０及び図１１を用いて第２の実施形態について説明する。撮像装置１００の構成は実施例１と同じであるため説明は省略し、システムのフローのみを説明する。
【００４９】
図１０及び図１１は本発明の第２の実施形態のシステムを表すフロー図である。図１０は本発明の第２の実施形態のシステムのメインフロー図である。
【００５０】
ステップＳ２０１ではレリーズスイッチが押下されるかどうかが判定される。使用者はレリーズスイッチを押下するまで、構図や撮影条件（シャッタ速度や絞り値など）の設定を行う。このとき、後の処理で行う照合処理に適した条件（つまり、深度が十分深い）かどうかを考慮する必要はない。レリーズスイッチが押下されるとステップＳ２０２へと進む。
【００５１】
ステップＳ２０２では撮像素子１０６により画像が取得される。取得された画像信号は撮像素子駆動回路１２２でＡ／Ｄ変換されたのちＣＰＵ１２１に送信される。ＣＰＵ１２１に送信された画像信号は生データで一時的に記録される一方、撮影した画像を静止画として保存するために、画像処理回路１２３により所定の処理がされた画像をフラッシュメモリ１２９へと送る。その後、ステップＳ２０３へと進む。
【００５２】
ステップＳ２０３では、撮影モードが照合モードであるかどうかが確認される。撮影モードが照合モードである場合にはステップＳ２０４へと進み、撮影モードが照合モードではない場合にはステップＳ２０９へと進み、本フローを終了する。
【００５３】
ステップＳ２０４では、ＣＰＵ１２１により各分割領域でのデフォーカス値の算出が行われる。算出が完了すると、ステップＳ２０５へと進む。
【００５４】
ステップＳ２０５では、通信手段１３０により外部演算装置１３１にデータが送信される。外部演算装置１３１は請求項の外部システムに相当する。送信されるデータはステップＳ２０３で一時的に記録された生データと、ステップＳ２０４で算出されたデフォーカス値、さらに、外部演算装置１３１で処理するボケ修復処理とデータベース照合処理に必要なデータ、例えばズーム情報やフォーカス情報、絞り値などである。データの送信が完了すると、ステップＳ２０６へと進む。
【００５５】
ステップＳ２０６では、外部演算装置１３１により外部処理サブルーチンが実行される。外部処理サブルーチンが完了すると、ステップＳ２０７へと進む。
【００５６】
ステップＳ２０７では、通信手段１３０が外部演算装置１３１から送信された結果を受信する。結果の受信が完了すると、ステップＳ２０８へと進む。
【００５７】
ステップＳ２０８では、通信手段１３０が受信した結果をもとに、表示器１２７に結果が表示される。結果が表示されると、ステップＳ２０９へと進み、本フローは完了する。
【００５８】
図１１は本発明の第２の実施形態における外部演算装置１３１による外部処理サブルーチンのフロー図である。
【００５９】
ステップＳ３０１では、撮像装置１００の通信手段１３０から送信されたデータを受信する。データの受信が完了すると、ステップＳ３０２へと進む。
【００６０】
ステップＳ３０２では、外部演算装置１３１によりボケ修復処理が行われる。一般的にボケ修復は点拡がり関数を画像信号にデコンボリューションすることで行われる。点広がり関数は撮影光学系の機種に応じ、ズーム情報、フォーカス情報、絞り値、デフォーカス値、像高などによって導出される。よって、ボケ修復はステップＳ３０１で受信した撮影光学系の機種情報、ズーム情報、フォーカス情報、絞り値を用いて、画像の各領域の像高と、デフォーカス値に応じて導出される点広がり関数をステップＳ３０１で受信した画像にデコンボリューションすることによりなされる。主被写体を次のステップ３０３で行うデータベース照合処理が可能な程度までボケを修復すると、ステップＳ３０３へと進む。
【００６１】
ステップＳ３０３では、外部演算装置１３１により照合処理が行われる。照合処理は公知の技術（例えば、特開２０００−１１３０９７号公報）で行われ、外部演算装置１３１は不図示のデータベースを記憶した装置と接続し、ステップＳ１０３で作成したボケ修復画像信号との照合処理が行われる。データベースと画像信号とが一致したものが検出されると、ステップＳ３０４へと進む。
【００６２】
ステップＳ３０４では、外部演算装置１３１から本発明の撮像装置１００の通信手段１３０にステップＳ３０３で検出された結果が送信される。結果の送信が完了すると、ステップＳ３０５へと進み、本サブルーチンは終了する。
【００６３】
また、本実施例では、撮影した静止画の画像情報から照合処理を行ったが、ライブビュー撮影の場合においても、ライブビュー中に撮像素子１０６から得られる画像情報を用いて、同様の処理を行い、ライブビュー中に結果を表示することが可能となる。
【００６４】
なお、本実施例では、ボケ修復処理として撮影光学系の機種情報と、ズーム情報、フォーカス情報、絞り値、デフォーカス値、像高から導出した点広がり関数を利用した例を示したが、ボケ修復処理はこの方法によらない。例えば、あらかじめ設定しておいた基本関数にズーム情報、フォーカス情報、絞り値、デフォーカス値、像高のうちのいくつかのパラメータを用いて導出した関数を用いてボケ修復しても良い。
【００６５】
以上のように、本発明の構成によれば、深度の浅い画像を撮影しても検索精度の低下を低減することが可能な撮像装置を提供することが可能となる。
【符号の説明】
【００６６】
１００  撮像装置、１０６  撮像素子、１３０  通信手段、
１３１  外部演算装置
【図１】
2015233261.tif 000003
【図２】
2015233261.tif 000004
【図３】
2015233261.tif 000005
【図４】
2015233261.tif 000006
【図５】
2015233261.tif 000007
【図６】
2015233261.tif 000008
【図７】
2015233261.tif 000009
【図８】
2015233261.tif 000010
【図９】
2015233261.tif 000011
【図１０】
2015233261.tif 000012
【図１１】
2015233261.tif 000013